(57)【要約】【課題】ユーザのニーズに応じた両面読み取りを行うことができる画像読取装置を提供する。【解決手段】画像入出力システム１００においては、速度優先モードと画質優先モードとのいずれかの両面読み取りモードを設定することが可能である。速度優先モードが設定された場合、ＣＣＤ２１８による原稿給紙ユニット２５０から給紙された原稿の表面の読み取りとＣＩＳ２２０による原稿の裏面の読み取りとがほぼ同時に行われる。画質優先モードが設定された場合、ＣＣＤ２１８による原稿給紙ユニット２５０から給紙された原稿の表面の読み取り後に、表面が読み取られた原稿を反転、再給紙することによって、ＣＣＤ２１８により再給紙された原稿の裏面が読み取られる。【選択図】      図２
2005012442.tif 000002
【特許請求の範囲】
【請求項１】
原稿を給紙する原稿給紙手段と、
前記原稿給紙手段により給紙された原稿の第１面を読み取るための第１の読み取り手段と、
前記原稿給紙手段により給紙された原稿の第２面を読み取るための第２の読み取り手段と、
前記第１の読み取り手段で第１面が読み取られた後の原稿を前記第１読み取り手段による前記原稿の第２面の読み取りが可能なように反転し、再給紙する原稿反転手段と、
両面同時読み取りモードと両面順次読み取りモードとのいずれかのモードを設定するモード設定手段と、
前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行うように制御し、前記両面順次読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取るように制御する制御手段とを有することを特徴とする画像読取装置。
【請求項２】
前記第１の読み取り手段は原稿画像を縮小して読み取り、前記第２の読み取り手段は原稿を等倍で読み取ることを特徴とする請求項１記載の画像読取装置。
【請求項３】
前記両面同時読み取りモードは速度優先読み取りモードであり、前記両面順次読み取りモードは、画質優先読み取りモードであることを特徴とする請求項１または２記載の画像読取装置。
【請求項４】
原稿を給紙する原稿給紙手段と、前記原稿給紙手段により給紙された原稿の第１面を読み取るための第１の読み取り手段と、前記原稿給紙手段により給紙された原稿の第２面を読み取るための第２の読み取り手段と、前記第１の読み取り手段で第１面が読み取られた後の原稿を前記第１読み取り手段により該原稿の第２面が読み取り可能なように反転し、再給紙する原稿反転手段とを備える画像処理装置の画像読取方法であって、
両面同時読み取りモードと両面順次読み取りモードとのいずれかのモードを設定するモード設定工程と、
前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行う両面同時読み取り工程と、
前記両面順次読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取る両面読み取り工程とを有することを特徴とする画像読取方法。
【請求項５】
前記両面同時読み取りモードは速度優先読み取りモードであり、前記両面順次読み取りモードは画質優先読み取りモードであることを特徴とする請求項４記載の画像読取方法。
【請求項６】
原稿を給紙する原稿給紙手段と、前記原稿給紙手段により給紙された原稿の第１面を読み取るための第１の読み取り手段と、前記原稿給紙手段により給紙された原稿の第２面を読み取るための第２の読み取り手段と、前記第１の読み取り手段で第１面が読み取られた後の原稿を前記第１読み取り手段により該原稿の第２面が読み取り可能なように反転し、再給紙する原稿反転手段とを備える画像処理装置における画像読み取りを制御するためのプログラムであって、
両面同時読み取りモードと両面順次読み取りモードとのいずれかのモードを設定するモード設定モジュールと、
前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行う両面同時読み取りモジュールと、
前記両面順次読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取る両面読み取りモジュールとを有することを特徴とするプログラム。
【請求項７】
前記両面同時読み取りモードは速度優先読み取りモードであり、前記両面順次読み取りモードは画質優先読み取りモードであることを特徴とする請求項６記載のプログラム。
【発明の詳細な説明】
【０００１】
【発明の属する技術分野】
本発明は、原稿の両面を読み取ることが可能な画像読取装置、画像読取方法およびプログラムに関する。
【０００２】
【従来の技術】
従来、両面原稿の表面、裏面を読み取るための両面原稿読み取り手段としては、一度原稿表面のみを読み取った後に、原稿を反転させて再度給紙し、裏面を読み取る手段がある。近年、両面原稿を高速に読み取るために、両面同時読み取り可能な原稿搬送装置が設けられているデジタル複写機が提案されている。これは、両面読み取りに関しては、従来の上記手段に比して、パフォーマンス的に有利である。
【０００３】
【特許文献１】
特開平１０−４２１０５号公報
【０００４】
【発明が解決しようとする課題】
しかしながら、両面読み取りでは、原稿表面、裏面をそれぞれ異なる画像読み取り手段で読み取ることになる。さらに、表面読み取りには通常ＣＣＤイメージセンサが用いられるが、裏面読み取りには、設置スペースの関係、コストの関係からコンタクトイメージセンサ（以下、ＣＩＳという）などが用いられるケースが少なくない。
【０００５】
このような画像読み取り手段の差異は、表面、裏面それぞれに対する読み取り画像の画質に差異をもたらすことになる。原稿の両面読み取りには、パフォーマンスを重視するニーズがあるのと同様、より高画質を求めるニーズがあるので、高画質のニーズに対しては、画像読み取り手段の差異はユーザの不利益となる。
【０００６】
さらに、近年のデジタル複写機は、コピー機能のみならず、ＦＡＸ機能（ファクシミリ通信機能）、ＰＤＬ（Ｐｏｓｔ  Ｄｅｓｃｒｉｐｔｉｏｎ  Ｌａｎｇｕａｇｅ）プリント機能、ネットワークスキャン機能、ＩＦＡＸ機能などの複数の機能を有するように、複合機能化されている。これにより、装置内では、異なるジョブが同時に実行されることが頻繁に起こり得る。
【０００７】
また、装置内に設けられているページメモリには、コピーのスキャン画像のみならず、ＦＡＸ、ＩＦＡＸの受信画像、ＰＤＬの展開画像なども格納される可能性がある。よって、両面同時読み取り時には、原稿表面、裏面それぞれの画像を格納するための領域を同時にページメモリ内に確保する必要がある。例えば他のジョブでページメモリが使用されている場合において、両面同時読み取りを行うと、それに必要とするページメモリ領域を確保する必要があるが、両面同時読み取り時に必要とするページメモリ領域を確保することができないと、その時点で動作が停止する。このような場合、逆にパフォーマンスを低下させることになる。このような問題を解消するためには、ページメモリの容量を増やせばよいが、ページメモリの容量増大は、コストアップを招くことになり、コスト面で不利となる。
【０００８】
本発明の目的は、ユーザのニーズに応じた両面読み取りを行うことができる画像読取装置、画像読取方法およびプログラムを提供することにある。
【０００９】
【課題を解決するための手段】
本発明は、上記目的を達成するため、原稿を給紙する原稿給紙手段と、前記原稿給紙手段により給紙された原稿の第１面を読み取るための第１の読み取り手段と、前記原稿給紙手段により給紙された原稿の第２面を読み取るための第２の読み取り手段と、前記第１の読み取り手段で第１面が読み取られた後の原稿を前記第１読み取り手段による前記原稿の第２面の読み取りが可能なように反転し、再給紙する原稿反転手段と、両面同時読み取りモードと両面順次読み取りモードとのいずれかのモードを設定するモード設定手段と、前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行うように制御し、前記両面順次読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取るように制御する制御手段とを有することを特徴とする。
【００１０】
また、本発明は、上記目的を達成するため、原稿を給紙する原稿給紙手段と、前記原稿給紙手段により給紙された原稿の第１面を読み取るための第１の読み取り手段と、前記原稿給紙手段により給紙された原稿の第２面を読み取るための第２の読み取り手段と、前記第１の読み取り手段で第１面が読み取られた後の原稿を前記第１読み取り手段により該原稿の第２面が読み取り可能なように反転し、再給紙する原稿反転手段とを備える画像処理装置の画像読取方法であって、両面同時読み取りモードと両面順次読み取りモードとのいずれかのモードを設定するモード設定工程と、前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行う両面同時読み取り工程と、前記両面順次読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取る両面読み取り工程とを有することを特徴とする。
【００１１】
また、本発明は、上記目的を達成するため、原稿を給紙する原稿給紙手段と、前記原稿給紙手段により給紙された原稿の第１面を読み取るための第１の読み取り手段と、前記原稿給紙手段により給紙された原稿の第２面を読み取るための第２の読み取り手段と、前記第１の読み取り手段で第１面が読み取られた後の原稿を前記第１読み取り手段により該原稿の第２面が読み取り可能なように反転し、再給紙する原稿反転手段とを備える画像処理装置における画像読み取りを制御するためのプログラムであって、両面同時読み取りモードと両面順次読み取りモードとのいずれかのモードを設定するモード設定モジュールと、前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行う両面同時読み取りモジュールと、前記両面順次読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取る両面読み取りモジュールとを有することを特徴とする。
【００１２】
【発明の実施の形態】
以下、本発明の実施形態について図面を参照しながら説明する。
【００１３】
（第１実施形態）
図１は本発明の第１実施形態に係る画像入出力システムの全体構成を示すブロック図である。
【００１４】
画像入出力システム１００は、図１に示すように、リーダ部（画像入力装置）２００と、プリンタ部３００と、制御装置１１０とを備える。リーダ部２００は、原稿画像を光学的に読み取り、画像データに変換する。リーダ部２００は、原稿を読み取るためのスキャナユニット２１０と、原稿を搬送するための原稿給紙ユニット（ＤＦユニット）２５０とを有する。
【００１５】
プリンタ部（画像出力装置）３００は、記録紙を搬送し、その記録紙上に画像データを可視画像として印字して装置外に排紙する。プリンタ部３００は、複数種の記録紙カセットを有する給紙ユニット３１０と、画像データを記録紙に転写、定着させるためのマーキングユニット３２０と、印字された記録紙を機外へ排紙するための排紙ユニット３３０と、ステイプル処理およびソート処理を行うフィニッシャユニット５００とを有する。
【００１６】
制御装置１１０は、リーダ部２００およびプリンタ部３００と電気的に接続されるとともに、ネットワーク（以下、ＬＡＮ（Ｌｏｃａｌ  Ａｒｅａ  Ｎｅｔｗｏｒｋ）という）４００を介して、ホストコンピュータ（ＰＣ）４０１，４０２と接続されている。また、制御装置１１０は、ＦＡＸ回線１２８と接続されるモデム（図示せず）を内蔵する。制御装置１１０は、リーダ部２００およびプリンタ部３００を制御することによってコピー機能を提供する。このコピー機能は、リーダ部２００で原稿を読み取り、プリンタ部３００で原稿の読み取りによって得られた画像データを記録紙に出力するものである。また、制御装置１１０は、リーダ部２００から得られた画像データをコードデータに変換し、ＬＡＮ４００を介してホストコンピュータ４０１，４０２へ送信するスキャナ機能、ホストコンピュータ４０１，４０２からＬＡＮ４００を介して受信したコードデータを画像データに変換し、プリンタ部３００に出力するプリンタ機能を提供する。
【００１７】
さらに、制御装置１１０には操作部１５０が接続されている。操作部１５０は、例えば液晶タッチパネルなどから構成され、画像入出力システム１００を操作するためのユーザＩ／Ｆ（インタフェース）を提供する。
【００１８】
次に、リーダ部２００およびプリンタ部３００の内部構成について図２を参照しながら説明する。図２は図１のリーダ部２００およびプリンタ部３００の内部構成を模式的に示す縦断面図である。
【００１９】
リーダ部２００の原稿給紙ユニット２５０は、原稿を先頭順に１枚ずつプラテンガラス２１１上へ給送し、原稿の読み取り動作終了後、プラテンガラス２１１上の原稿を排出トレイ２１９に排出するものである。原稿がプラテンガラス２１１上に搬送されると、ランプ２１２が点灯される。そして、光学ユニット２１３により原稿面が露光走査される。ここで、原稿がプラテンガラス２１１上に停止された状態で原稿を読み取る固定読みと、原稿をプラテンガラス２１１上に沿って搬送しながら原稿を読み取る流し読みの２つの形態がある。固定読みの場合、光学ユニット２１３を副走査方向に移動することによって、原稿面の露光走査が行われる。これに対し、流し読みの場合、光学ユニット２１３が所定位置に保持された状態で、原稿面の露光走査が行われる。いずれの場合も、原稿からの反射光が、ミラー２１４，２１５，２１６およびレンズ２１７からなる縮小光学系によってＣＣＤイメージセンサ（以下、ＣＣＤという）２１８へ導かれる。このように、走査された原稿上の画像はＣＣＤ２１８によって縮小されて読み取られる。ＣＣＤ２１８から出力される画像データは、所定の処理が施された後、制御装置１１０へ転送される。
【００２０】
原稿給紙ユニット２５０は、原稿裏面を等倍で読み取るためのコンタクトイメージセンサ（以下、ＣＩＳという）２２０を有し、これにより、ＣＣＤ２１８での原稿表面の画像の読み込みと同様に、原稿裏面の画像の読み込みを行うことができる。また、原稿給紙ユニット２５０は、原稿位置を検知するＤＦセンサ２２１および原稿を搬送するためのＤＦ駆動部２２２を有し、これらにより、原稿を搬送し、画像の読み取りが可能になる。また、ＤＦ駆動部２２２は、表面がＣＣＤ２１８により読み取られた後の原稿を反転し、再給紙することが可能であり、これにより再給紙された原稿はその裏面が読み取り面として給紙されることになる。なお、図２においては、ＤＦ駆動部２２２における反転機構は、公知のものであり、その詳細は省略されている。
【００２１】
プリンタ部３００は、レーザ発光部３２２を駆動するレーザドライバ３２１を有し、レーザドライバ３２１は、制御装置１１０から出力された画像データに応じたレーザ光を発光するようにレーザ発光部３２２を駆動する。このレーザ発光部３２２から発光されたレーザ光は、感光ドラム３２３に照射され、感光ドラム３２３上にはレーザ光に応じた潜像が形成される。この感光ドラム３２３上に形成された潜像は、現像器３２４から供給される現像剤によって現像剤像として可視像化される。
【００２２】
そして、レーザ光の照射開始と同期したタイミングで、各カセット３１１，３１２，３１３，３１４、手差し給紙段３１５のいずれかから記録紙が搬送路３３１に沿って転写部３２５に給紙され、転写部３２５によって、給紙された記録紙には感光ドラム３２３上の現像剤像が転写される。現像剤像が転写された記録紙は搬送ベルト３２６によって定着部３２７に搬送され、定着部３２７において熱と圧力が加えられる。これにより、記録紙上の現像剤は記像紙に定着される。その後、定着部３２７を通過した記録紙は搬送路３３５を経て搬送路３３４へ排出される。
【００２３】
また、印字面を反転して排出する場合、記録紙は搬送路３３６を経て搬送路３３８まで導かれ、そこで記録紙は逆方向に搬送され、搬送路３３７を経て搬送路３３４へ排出される。
【００２４】
また、両面記録が設定されている場合、定着部３２７を通過した記録紙は、フラッパ３２９によって、搬送路３３６から搬送路３３３に導かれる。その後、記録紙は逆方向に搬送され、フラッパ３２９によって、搬送路３３８を経て再給紙搬送路３３２へ導かれる。再給紙搬送路３３２へ導かれた記録紙は、上述したタイミングで搬送路３３１を経て転写部３２５へ給紙される。
【００２５】
プリンタ部３００の搬送路３３４から排出された記録紙はフィニッシャユニット５００へ搬送される。フィニッシャユニット５００においては、プリンタ部３００からの記録紙が、まずバッファユニット５０１へ送られる。ここでは、場合に応じて搬送されてきた記録紙をバッファローラに巻きつけてバッファリングする。例えば、この下流で行われるステイプルなどの処理に時間が掛かる場合は、このバッファユニット５０１を利用することによって本体から搬送されてくる記録紙の搬送速度を一定に保つことができ、スループットの向上に役立たせることが可能である。
【００２６】
バッファユニット５０１を通過した記録紙は、上流排出ローラ対５０２および下流排出ローラ対５０３により、スタックトレイ５０７ａに排出される。
【００２７】
ステイプルモードの場合は、上流排出ローラ対５０２で搬送され、記録紙後端がこれを抜けた直後、ローレットベルト５０４によって引き戻され、ステイプルトレイ５０５に排出される。そして、所定の枚数分の記録紙が積載された後、その記録紙束は、ステイプルユニット５０６によるステイプル処理によって綴じられ、綴じられた記録紙束は、下流排出ローラ対５０３により排出トレイ５０７ａに排出される。
【００２８】
なお、本例においては、排出トレイ５０７ａの他に、排出トレイ５０７ｂが設けられており、排出トレイ５０７ａ，５０７ｂのこれらは、連動して駆動ユニット（図示せず）により上下に移動させることが可能である。また、図２においては、排出トレイ５０７ａは、排出された記録紙を受け入れる位置にあるが、これを上方向に移動して記録紙を排出トレイ５０７ｂに排出させることも可能である。
【００２９】
次に、操作部１５０について図３を参照しながら説明する。図３は図１の操作部１５０の構成を示す平面図である。
【００３０】
操作部１５０は、図３に示すように、主なモード設定、状況表示を行うためのＬＣＤタッチパネル６００と、各種キー６０１〜６０８，６１０〜６１５と、ソフト電源スイッチ６０９と、各種ＬＥＤ６１６〜６１８とを有する。
【００３１】
キー６０１は、０〜９までの数値を入力するためのテンキーである。キー６０２はＩＤキーであり、装置が部門管理されている場合に部門番号と暗礁モードを入力する際に使用されるものである。キー６０３は、設定されたモードをリセットするためのリセットキー、キー６０４は、各モードについての説明画面を表示するためのガイドキー、キー６０５はユーザーモード画面に入るためのユーザーモードキー、キー６０６は割り込みコピーを行うための割り込みキーである。
【００３２】
キー６０７はコピー動作をスタートさせるためのスタートキー、キー６０８は実行中のコピージョブを中止させるためのストップキーである。
【００３３】
ソフト電源スイッチ６０９は、装置を低電力状態にするためのスイッチであり、このスイッチが押下されると、ＬＣＤ６００のバックライトが消され、装置は低電力状態に落ちる。キー６１０は節電キーであり、これを押下すると、装置が節電状態に移行し、再度押下すると、装置が節電状態から復帰する。
【００３４】
各６１１，６１２，６１３は、コピー、ボックス、拡張機能に移行させるためのファンクションキーである。図３はコピーの標準画面が表示された状態を示し、他のファンクションキー６１２，６１３を押下することでそれぞれの機能の標準画面が表示される。
【００３５】
キー６１４は、ＬＣＤタッチパネル６００のコントラストを調整するための調整キーである。キー６１５はカウンタ確認キーであり、このキーを押下することによってそれまでに使用したコピー枚数の集計を表示するカウント画面がＬＣＤ上に表示される。
【００３６】
ＬＥＤ６１６は、ジョブの実行中、画像メモリへの画像蓄積中を示すＬＥＤであり、ＬＥＤ６１７は、ジャム、ドアオープンなど、装置がエラー状態にあることを示すエラーＬＥＤである。ＬＥＤ６１８は、装置のメインスイッチがＯＮになっていることを示す電源ＬＥＤである。
【００３７】
次に、制御装置１１０の構成について図４および図５を参照しながら説明する。図４は図１の制御装置１１０の構成を示すブロック図、図５は図４のＲＡＭ１２１に設けられたページメモリ蓄積領域のメモリマップの一例を示す図である。
【００３８】
制御装置１１０は、図４に示すように、システム全体を制御するコントローラであるＣＰＵ１２０を有し、ＣＰＵ１２０には、システムバス１３８を介して、ＲＡＭ１２１、ＲＯＭ１２３、ＨＤＤ（ハードディスクドライブ）１２４、操作部Ｉ／Ｆ１２２、ネットワークＩ／Ｆ１２６、モデムＩ／Ｆ１２７、温度検知部１２９、ＤＭＡＣ１３２、およびイメージバスＩ／Ｆ１３０が接続されている。
ＲＡＭ１２１はシステム制御において使用されるメモリであり、ＨＤＤ１２４に格納されているシステムソフトウエアを読み出して格納するプログラム領域、ＣＰＵ１２０のワークメモリとして使うためのワーク領域、ＨＤＤ１２４にデータを格納する際のバッファとして主に使用されるページメモリ蓄積領域に分かれている。
【００３９】
上記ページメモリ蓄積領域は、図５に示すように、スキャナユニット２１０からの読み込み画像、またＦＡＸからの受信画像、ＰＤＬ受信画像などをＨＤＤ１２４に圧縮格納する前に一度ここに画像を展開し、その後ＨＤに圧縮格納するために確保された、読み取りページメモリと、ＨＤＤ１２４内の画像を伸張した後展開しそこからプリントアウトするために主に使用されるプリントページメモリとを含む。本実施形態では、読み取りページメモリとして画像２面分、プリントページメモリとして画像３面分が蓄積できる領域が用意されている。
【００４０】
ＲＯＭ１２３は、ブートＲＯＭであり、システムのブートプログラムが格納されている。ＨＤＤ１２４は、システムソフトウエア、圧縮画像データなどを格納する。
【００４１】
操作部Ｉ／Ｆ１２２は、操作部１５０とのインターフェースであり、操作部１５０に表示する画像データを操作部１５０に対して出力する。また、操作部Ｉ／Ｆ１２２は、操作部１５０から本システム使用者が入力した情報を、ＣＰＵ１２０に伝える役割を担う。
【００４２】
ネットワークＩ／Ｆ１２５はＬＡＮ４００に接続され、情報の入出力を行う。モデム１２７はＦＡＸ回線１２８に接続され、ＦＡＸ情報の入出力を行う。ＤＭＡＣ１３２はダイレクトメモリアクセスコントローラでＲＡＭ１２１内でのデータの転送、ＲＡＭ１２１とＨＤＤ１２４間でのデータのやり取りを制御する。
【００４３】
イメージバスＩ／Ｆ１３０は、システムバス１３８と画像を高速に転送する画像バス１３１とを接続し、データ構造を変換するバスブリッジである。
【００４４】
画像バス１３１はＰＣＩバス、またはＩＥＥＥ１３９４から構成される。画像バス１３１上には、ＲＩＰ（ラスターイメージプロセッサ）１３３、デバイスＩ／Ｆ１３４、スキャナ画像処理部１３５、プリンタ画像処理部１３６、および画像圧縮部１３７が接続される。
【００４５】
ＲＩＰ１３３は、ＰＤＬコードをビットマップイメージに展開する。デバイスＩ／Ｆ部１３４は、画像入出力デバイスであるリーダ部２００およびプリンタ部３００と制御装置１１０の間での画像データ、制御データの送受信を行う。スキャナ画像処理部１３５は、入力画像データに対して補正、加工、編集を行う。プリンタ画像処理部１３６は、プリント出力データに対して画像の補正，回転、解像度変換などを行う。画像圧縮部１３７は、ＪＢＩＧ、ＭＭＲ、ＭＨなどの圧縮伸張処理を行う。
【００４６】
次に、リーダ部２００を制御するリーダ制御装置４００について図６を参照しながら説明する。図６は図１のリーダ部２００を制御するリーダ制御装置４００の構成を示すブロック図である。
【００４７】
リーダ部２００を制御するリーダ制御装置は、図６に示すように、リーダＣＰＵ４０７を有する。このリーダＣＰＵ４０７は、制御装置１１０のＣＰＵ１２０と通信しており、リーダＣＰＵ４０７がスレーブ、ＣＰＵ１２０がマスターとなる関係がある。
【００４８】
リーダＣＰＵ４０７には、システムバス４０６を介して、２つの画像処理部４０１，４０２、２つのＦＩＦＯ４０３，４０４、マルチプレクサ（以下、ＭＵＸという）４０５、ＣＣＤ２１８、ＣＩＳ２２０、ＤＦセンサ部２２１、およびＤＦ駆動部２２２が接続されている。画像処理部４０１は、ＣＣＤ１２８からの画像信号のシェーディング、ガンマ補正などの画像処理を行うものであり、同様に、画像処理部４０２はＣＩＳ２２０からの画像信号の処理を行うものである。ＦＩＦＯ４０３は、画像処理部４０１からの出力信号を一度蓄積するものであり、この蓄積された信号は所定のタイミングで読み出される。同様に、ＦＩＦＯ４０４は、画像処理部４０２からの出力信号を一度蓄積するものであり、この蓄積された信号は、所定のタイミングで読み出される。ＭＵＸ４０５は、ＦＩＦＯ４０３、ＦＩＦＯ４０４にそれぞれ蓄積された画像を交互に取り込み、これらを制御装置１１０にシリアルに送信するものである。
【００４９】
次に、本画像入出システムにより実行される両面原稿同時読み取りについて図７および図８を参照しながら説明する。図７はＣＣＤ１２８、ＣＩＳ２２０から出力された画像信号がそれぞれ画像処理部４０１、画像処理部４０２から出力されるまでのタイミングチャート、図８はＭＵＸ４０５から出力される画像信号の順序を示す図である。
【００５０】
両面同時読み取りが指定された状態で、原稿給紙ユニット２５０から原稿が搬送されると、ＣＣＤ１２８で原稿の表面、ＣＩＳ２２０で原稿の裏面がほぼ同時に読み取られる。すなわち、図７に示すように、まず、一枚目の原稿表面がＣＣＤ１２８により、その裏面がＣＩＳ２２０によりそれぞれ読み取られ、続いて、二枚目の原稿表面、裏面が同様に読み取られる。これにより、ＣＣＤ２１８からはそれぞれの原稿表面に対する画像信号が順に出力され、画像処理部４０１で処理された後に、ＦＩＦＯ４０３に蓄積される。これに対し、ＣＩＳ２２０からのそれぞれの原稿裏面に対する画像信号は、ＣＣＤ２１８からの画像信号にわずかに遅れて出力され、画像処理部４０２で処理された後に、ＦＩＦＯ４０４に蓄積される。
【００５１】
ここまでの画像信号に対する処理は、並列処理であるが、この並列処理の状態で原稿表面、裏面の各画像信号を制御装置１１０に送ると、制御装置１１０内において２面分の画像を同時に処理する必要が出てくるため、デバイスＩ／Ｆ１３４、スキャナ画像処理部１３５、イメージバスＩ／Ｆ１３０、ページメモリを含むＲＡＭ１２１、ＨＤＤ１２４などを全て二重に備える必要が生じ、コストアップを招くことになる。
【００５２】
そこで、上記コストアップを解消するために、本実施形態では、ＭＵＸ４０５が設けられている。すなわち、ＦＩＦＯ４０３，４０４にそれぞれ蓄積された画像信号に対し、まずＦＩＦＯ４０３から一枚目の原稿表面に対する画像信号が、続いてＦＩＦＯ４０４から一枚目の原稿裏面に対する画像信号が、というように、各原稿の表面に対する画像信号、裏面に対する画像信号が交互にＦＩＦＯ４０３，４０４から読み出されてＭＵＸ４０５に取り込まれる。そして、図８に示すように、ＭＵＸ４０５からは、一枚目の原稿表面の画像信号、一枚目の原稿裏面の画像信号、二枚目の原稿表面の画像信号、二枚目の原稿裏面の画像信号という順に各原稿の表面、裏面に対する画像信号が、シリアルに順次制御装置１１０に送信される。これにより、制御装置１１０は、原稿表面、裏面の各信号に対して、並列処理を行わず、原稿を反転させて裏面を読む一般的な両面読みの処理と同様の処理を行うことによって、両面同時読みを可能にする。
【００５３】
次に、ＣＰＵ１２０、リーダＣＰＵ４０７によって行われるシステム制御について図９ないし図１５を参照しながら詳細に説明する。図９はＬＣＤタッチパネル６００に表示されるコピーの標準画面の一例を示す図、図１０は両面設定画面の一例を示す図、図１１は図１０の両面設定画面において両片設定または両両設定などの両面印字を指定するモードが設定された場合のコピー標準画面を示す図、図１２はキャンモード設定画面を示す図、図１３はコピータスクの処理手順を示すフローチャート、図１４および図１５は図１３の読み込みタスクの処理手順を示すフローチャートである。
【００５４】
ＬＣＤタッチパネル６００には、図９に示すようなコピーの標準画面が表示される。この標準画面には、両面設定を行う両面設定キー９０１が表示され、この両面設定キー９０１が押下されると、画面は、図１０に示す両面設定画面に遷移する。
【００５５】
この両面設定画面においては、原稿片面読み、両面印字を設定する片両設定キー９０２、原稿両面読み取り、両面印字を設定する両両設定キー９０３、原稿両面読み、片面印字を設定する両片設定キー９０４、ページ連写すなわちブック原稿を右ページ、左ページ読み取り、これを両面印字するページ連写両面設定キー９０５が表示される。また、両面設定を取り消す取り消しキー９０６、元の画面も戻るための戻るキー９０７、設定されたモードを有効とした上で元の画面に戻すためのＯＫキー９０８が表示される。ここで、各キー９０６〜９０８のうち、いずれかが押下されると、画面が図９のコピー標準画面に戻る。また、これらのキー９０６〜９０８は、後に説明する図にも描かれているが、作用は同じであるので、以降、その説明は割愛する。さらに、キー９０９が表示される。このキー９０９は、左右開きを前提にして両面印字を行うか、あるいは上下開きを前提として両面印字を行うかなどの両面設定の詳細を設定するための詳細設定キーである。このキー９０９による設定内容は、特に本発明と関係しないので、その説明は割愛する。
【００５６】
上記両面設定画面上で、両片設定または両両設定などの両面印字を指定するモードが設定された場合、画面がコピー標準画面に戻り、このコピー標準画面においては、図１１に示すように、スキャンモードキー９１０が表示される。このスキャンモードキー９１０が押下されると、画面が図１２に示すスキャンモード設定画面に遷移する。
【００５７】
このスキャンモード設定画面においては、画質優先モード設定キー９１１および速度優先設定キー９１２が表示される。ここで、画質優先モード設定キー９１１は、画質を優先させるために、原稿の表面および裏面ともにＣＣＤ２１８で読み取らせるためのキーである。速度優先設定キー９１２は、速度を優先させるために、原稿の表面をＣＣＤ２１８で、裏面をＣＩＳ２２０で同時に読み取らせるためのキーである。
【００５８】
上記の設定が行われた後に、原稿が原稿給紙ユニット２５０にセットされ、スタートキー６０７が押下されると、コピータスクが起動される。このコピータスクについて図１３を参照しながら説明する。図１３に示す手順は、ＣＰＵ１２０、リーダＣＰＵ４０７によって実行される。
【００５９】
コピータスクが起動されると、図１３に示すように、まずステップＳ１３０１において、読み取りタスクが起動され、続くステップＳ１３０２において、プリントタスクが起動される。そして、ステップＳ１３０３において、全ての原稿の読み取りおよび全ページの印字終了が待たれ、全ての処理が終了すると、コピータスクは終了する。
【００６０】
次に、上記ステップＳ１３０１の読み取りタスクの詳細について図１４および図１５を参照しながら説明する。ここでは、基本的に両面読み取りの設定がされていることを前提に説明し、煩雑さを防ぐために、通常の片面読み取りについての説明は割愛する。
【００６１】
読み取りタスクにおいては、図１４に示すように、まずステップＳ１４０１において、速度優先モードが設定されているか否かが判定される。ここで、速度優先モードが設定されている場合は、ステップＳ１４０２において、原稿給紙ユニット２５０の動作、リーダ制御装置４００での各種設定が両面同時読み取りモードに対応するように設定される。続いてステップＳ１４０３において、画像処理部４０１に対するパラメータ設定が行われ、そしてステップＳ１４０４で、同様に画像処理部４０２に対するパラメータ設定が行われる。
【００６２】
次いで、ステップＳ１４０５において、１面分の読み取りページメモリの確保が行われ、続くステップＳ１４０６で、さらにもう１面分の読み取りページメモリの確保が行われる。すなわち、両面同時読み取り時には、１回の原稿スキャンで表面、裏面の各画像が同時に読み取られるので、２面分の読み取りページメモリが確保されることになる。
【００６３】
次いで、ステップＳ１４０７において、原稿給紙ユニット２５０からの原稿の給紙が開始される。この原稿はＤＦ駆動部２２２によって搬送され、その先端がＤＦセンサ部２２１に到達すると、ＤＦセンサ部２２１から検知信号が出力される。そして、ステップＳ１４０８において、ＤＦセンサ部２２１からの検知信号を受けたことにより、画像の読み取り動作を行う。ここでは、ＣＣＤ２１８およびＣＩＳ２２０から画像信号が同時に読み出されるが、ＭＵＸ４０５の初期設定は表面側すなわちＦＩＦＯ４０３側が有効になっているので、最初にＦＩＦＯ４０３の画像が読み取りページメモリに読み出され、さらに画像圧縮されてＨＤＤ１２４へ格納される。
【００６４】
次いで、ステップＳ１４０９において、ＭＵＸ４０５により裏面側すなわちＦＩＦＯ４０４への切り替えが行われ、続くステップＳ１４１０で、ＦＩＦＯ４０４から裏面の画像が読み出され、表面の画像と同様に処理される。そして、ステップＳ１４１１において、ＭＵＸ４０５により再び表面側すなわちＦＩＦＯ４０３への切り替えが行われる。
【００６５】
次いで、ステップＳ１４１２において、ＨＤＤ１２４への画像圧縮蓄積が終了した読み取りページメモリが開放され、続くステップＳ１４１３で、再度、速度優先モードが設定されているか否かの判定が行われる。ここでは、速度優先モードが設定されているので、ステップＳ１４１４において、原稿の排出動作が行われる。そして、ステップＳ１４１５において、次原稿があるか否かの判定が行われ、次原稿があると、上記ステップＳ４０１に戻り、次原稿の読み取りが行われる。これに対し、次原稿がないと、本処理は終了する。
【００６６】
上記ステップＳ１４０１において速度優先モードが設定されていないすなわち画質優先モードが設定されていると判定された場合は、図１５に示すステップＳ１４１６において、原稿給紙ユニット２５０の動作、リーダ制御装置４００での各設定が原稿反転による両面順次読み取りモードとなるように設定される。続いてステップＳ１４１７において、画像処理部４０１に対するパラメータ設定のみを行う。そして、ステップＳ１４１８において、１面分の読み取りページメモリの確保が行われる。画質優先モードでは、原稿表面の読み取り後に、原稿を反転させて原稿裏面の読み取りが行われるので、速度優先モード時とは異なり、１面分の読み取りページメモリが確保されればよい。
【００６７】
次いで、ステップＳ１４１９において、原稿給紙ユニット２５０上の１枚目の原稿の給紙が開始される。この原稿がＤＦ駆動部２２２によって搬送され、その先端がＤＦセンサ部２２１に到達すると、ＤＦセンサ部２２１から検知信号が出力される。そして、ステップＳ１４２０において、ＤＦセンサ部２２１からの検知信号を受けたことにより、画像の読み取り動作を行う。画質優先モードにおいては、ＣＣＤ２１８のみから画像信号が出力され、この画像信号は読み取りページメモリに読み出され、さらに画像圧縮されてＨＤＤ１２４へ格納される。
【００６８】
次いで、ステップＳ１４１２において、ＨＤＤ１２４への画像圧縮蓄積が終了した読み取りページメモリが開放され、続くステップＳ１４１３で、再度、速度優先モードが設定されているか否かの判定が行われる。ここでは、画質優先モードが設定されているので、ステップＳ１４２１において、今読み取られた画像が原稿表面の画像であるか否かが判定される。ここで、今読み取られた画像が原稿表面の画像であるときには、原稿裏面を読み取るために、ステップＳ１４２２において、原稿の反転動作が行われる。そして、ステップＳ１４１５において、次原稿があるか否かの判定が行われる。ここでは、次原稿として反転された原稿があるので、上記ステップＳ４０１に戻り、反転された原稿すなわち原稿裏面の読み取りが行われる。
【００６９】
上記ステップＳ１４２１において読み取られた画像が原稿表面の画像でないすなわち原稿裏面の画像であると判定されると、当該原稿の表面、裏面の読み取りが終了したので、ステップＳ１４１４において、原稿の排出動作が行われる。そして、ステップＳ１４１５において、次原稿があるか否かの判定が行われ、次原稿があると、上記ステップＳ４０１に戻り、次原稿の読み取りが行われる。これに対し、次原稿がないと、本処理は終了する。
【００７０】
このように、本実施形態では、両面同時読み取り可能な原稿給紙ユニット２５０を備える画像入出力システム１００において、ユーザが両面読み取り時に画質を優先させるモード、速度を優先させるモードのいずれかを選択することができるので、ユーザのニーズに応じた両面読み取りを行うことができる。
【００７１】
（第２実施形態）
次に、本発明の第２実施形態について図１６ないし図１９を参照しながら説明する。図１６および図１８は本発明の第２実施形態に係る画像入出力システムの読み取りタスクの処理手順を示すフローチャート、図１９は本発明の第２実施形態に係る画像入出力システムのスキャンモード設定画面を示す図である。なお、本実施形態の構成は、上記第１実施形態の構成に同じであり、その構成についての説明は省略する。また、本実施形態においては、上記第１実施形態と同一の符号を用いて説明を行うものとする。
【００７２】
上記第１実施形態においては、速度優先モードすなわち両面を同時に読み取るモードにおいては、読み取りページメモリを２面分同時に確保することが必要であるが、装置状態が、常に、２面分の読み取りページメモリを同時に確保することができるような状態にあるとは限らない。そこで、本実施形態においては、２面分の読み取りページメモリを確保することができなかった場合に、パフォーマンスの低下を極力抑える手段が設けられている。
【００７３】
本実施形態の読み取りタスクにおいては、図１６に示すように、まずステップＳ１５０１において、速度優先モードが設定されているか否かが判定される。ここで、速度優先モードが設定されている場合は、ステップＳ１５０２において、原稿給紙ユニット２５０の動作、リーダ制御装置４００での各設定が両面同時読み取りモードに対応するように設定される。続いてステップＳ１５０３において、画像処理部４０１に対するパラメータ設定が行われ、そしてステップＳ１５０４で、同様に画像処理部４０２に対するパラメータ設定が行われる。
【００７４】
次いで、ステップＳ１５０５において、１面分の読み取りページメモリの確保が行われ、続くステップＳ１５０６で、さらにもう１面分の読み取りページメモリの確保が行われる。すなわち、両面同時読み取り時には、２面分の読み取りページメモリを確保することが必要である。そして、ステップＳ１５０７において、２面分の読み取りページメモリの確保に成功したか否かの判定が行われる。
【００７５】
上記ステップＳ１５０７において２面分の読み取りページメモリの確保に成功したと判定された場合、ステップＳ１５０８において、原稿給紙ユニット２５０からの原稿の給紙が開始される。この原稿はＤＦ駆動部２２２によって搬送され、その先端がＤＦセンサ部２２１に到達すると、ＤＦセンサ部２２１から検知信号が出力される。そして、ステップＳ１５０９において、ＤＦセンサ部２２１からの検知信号を受けたことにより、画像の読み取り動作が行われる。ここでは、ＣＣＤ２１８およびＣＩＳ２２０から画像信号が同時に読み出されるが、ＭＵＸ４０５の初期設定は表面側すなわちＦＩＦＯ４０３側が有効になっているので、最初にＦＩＦＯ４０３の画像が読み取りページメモリに読み出され、さらに画像圧縮されてＨＤＤ１２４へ格納される。
【００７６】
次いで、ステップＳ１５１０において、ＭＵＸ４０５により裏面側すなわちＦＩＦＯ４０４への切り替えが行われ、続くステップＳ１５１１で、ＦＩＦＯ４０４から裏面の画像が読み出され、表面の画像と同様に処理される。そして、ステップＳ１５１２において、ＭＵＸ４０５により再び表面側すなわちＦＩＦＯ４０３への切り替えが行われる。
【００７７】
次いで、図１７に示すステップＳ１５１３において、ＨＤＤ１２４への画像圧縮蓄積が終了した読み取りページメモリが開放され、続くステップＳ１５１４で、再度、速度優先モードが設定されているか否かの判定が行われる。ここでは、速度優先モードが設定されているので、ステップＳ１５１５において、原稿の排出動作が行われる。そして、ステップＳ１５１６において、次原稿があるか否かの判定が行われ、次原稿があると、上記ステップＳ１５０１に戻り、次原稿の読み取りが行われる。これに対し、次原稿がないと、本処理は終了する。
【００７８】
上記ステップＳ１５０１において速度優先モードが設定されていないすなわち画質優先モードが設定されていると判定された場合は、図１８に示すステップＳ１５１７において、原稿給紙ユニット２５０の動作、リーダ制御装置４００での各設定が原稿反転による両面順次読み取りモードとなるように設定される。続いてステップＳ１５１８において、画像処理部４０１に対するパラメータ設定のみを行う。そして、ステップＳ１５１９において、１面分の読み取りページメモリの確保が行われる。画質優先モードでは、原稿表面の読み取り後に、原稿を反転させて原稿裏面の読み取りが行われるので、速度優先モード時とは異なり、１面分の読み取りページメモリが確保されればよい。
【００７９】
次いで、ステップＳ１５２０において、原稿給紙ユニット２５０上の原稿の給紙が開始される。この原稿がＤＦ駆動部２２２によって搬送され、その先端がＤＦセンサ部２２１に到達すると、ＤＦセンサ部２２１から検知信号が出力される。そして、ステップＳ１５２１において、ＤＦセンサ部２２１からの検知信号を受けたことにより、画像の読み取り動作が行われる。画質優先モードにおいては、ＣＣＤ２１８のみから画像信号が出力され、この画像信号は読み取りページメモリに読み出され、さらに画像圧縮されてＨＤＤ１２４へ格納される。
【００８０】
次いで、図１７に示すステップＳ１５１３において、ＨＤＤ１２４への画像圧縮蓄積が終了した読み取りページメモリが開放され、続くステップＳ１５１４で、再度、速度優先モードが設定されているか否かの判定が行われる。ここでは、画質優先モードが設定されているので、ステップＳ１５２２において、今読み取られた画像が原稿表面の画像であるか否かが判定される。ここで、今読み取られた画像が原稿表面の画像であるときには、原稿裏面を読み取るために、ステップＳ１５２３において、原稿の反転動作が行われる。そして、ステップＳ１５１６において、次原稿があるか否かの判定が行われる。ここでは、次原稿として反転された原稿があるので、上記ステップＳ１５０１に戻り、反転された原稿すなわち原稿裏面の読み取りが行われる。
【００８１】
上記ステップＳ１５２２において読み取られた画像が原稿表面の画像でないすなわち原稿裏面の画像であると判定されると、ステップＳ１５２４において、モードの切り替え（速度優先モードから画質優先モードへの切り替え）が行われたか否かの判定が行われる。ここでは、モードの切り替えが行われておらず、また当該原稿の表面、裏面の読み取りが終了したので、ステップＳ１５２６において、原稿の排出動作が行われる。そして、ステップＳ１５１６において、次原稿があるか否かの判定が行われ、次原稿があると、上記ステップＳ４０１に戻り、次原稿の読み取りが行われる。これに対し、次原稿がないと、本処理は終了する。
【００８２】
上記速度優先モードが設定されている場合において上記ステップＳ１５０７で２面分の読み取りページメモリの確保に成功しなかったと判定されると、図１８に示すステップＳ１５２７において、スキャンモードが速度優先モードから画質優先モードに一時的に切り替えられる。そして、画質優先モードに対応するために、ステップＳ１５１８において、画像処理部４０１に対するパラメータ設定のみが行われ、続くステップＳ１５１９において、１面分の読み取りページメモリの確保が行われる。これは、画質優先モード時においては、１面分の読み取りページメモリが確保されればよいからである。
【００８３】
次いで、ステップＳ１５２０において、原稿給紙ユニット２５０上の１枚目の原稿の給紙が開始される。この原稿がＤＦ駆動部２２２によって搬送され、その先端がＤＦセンサ部２２１に到達すると、ＤＦセンサ部２２１から検知信号が出力される。そして、ステップＳ１５２１において、ＤＦセンサ部２２１からの検知信号を受けたことにより、画像の読み取り動作が行われる。画質優先モードにおいては、ＣＣＤ２１８のみから画像信号が出力され、この画像信号は読み取りページメモリに読み出され、さらに画像圧縮されてＨＤＤ１２４へ格納される。
【００８４】
次いで、図１７に示すステップＳ１５１３において、ＨＤＤ１２４への画像圧縮蓄積が終了した読み取りページメモリが開放され、続くステップＳ１５１４で、再度、速度優先モードが設定されているか否かの判定が行われる。ここでは、速度優先モードから画質優先モードへの切り替えが行われているので、ステップＳ１５２２において、今読み取られた画像が原稿表面の画像であるか否かが判定される。ここで、今読み取られた画像が原稿表面の画像であるときには、原稿裏面を読み取るために、ステップＳ１５２３において、原稿の反転動作が行われる。そして、ステップＳ１５１６において、次原稿があるか否かの判定が行われる。ここでは、次原稿として反転された原稿があるので、上記ステップＳ１５０１に戻り、反転された原稿すなわち原稿裏面の読み取りが行われる。
【００８５】
上記ステップＳ１５２２において読み取られた画像が原稿表面の画像でないすなわち原稿裏面の画像であると判定されると、ステップＳ１５２４において、モードの切り替え（速度優先モードから画質優先モードへの切り替え）が行われたか否かの判定が行われる。ここでは、モードの切り替えが行われており、また当該原稿の表面、裏面の読み取りが終了しているので、ステップＳ１５２５において、設定が戻される。すなわち、スキャンモードが画質優先モードから速度優先モードに戻される。そして、ステップＳ１５２６において、原稿の排出動作が行われる。
【００８６】
次いで、ステップＳ１５１６において、次原稿があるか否かの判定が行われ、次原稿があると、上記ステップＳ１５０１に戻り、速度優先モードでの次原稿の読み取りが行われる。これに対し、次原稿がないと、本処理は終了する。
【００８７】
このように、本実施形態では、速度優先モードが設定されている場合に二面分の読み取りページメモリを確保することができない場合においても、そのスキャンだけ一面分のページメモリで足りる画質優先モードに切り替えることによって、スキャンが停止状態になるのを未然に防止することができ、さらに次のスキャン以降は再度速度優先モードに戻してより高速なスキャンを試みることができる。その結果、ユーザの使い勝手がより向上されることになる。
【００８８】
また、上記処理の場合は、速度優先モードが設定されている場合において、二面分の読み取りページメモリを確保することができなければ、速度優先モードから画質優先モードへの切り替えが自動的に行われるが、この速度優先モードから画質優先モードへの切り替えを許可するか否かを予め設定するようにしてもよい。例えば、図１９に示すように、スキャンモード設定画面上に、自動切り替え設定キー９１３を設け、この自動切り替え設定キー９１３の押下により、速度優先モードから画質優先モードへの切り替えを許可するか否かを設定することが可能である。自動切り替え設定キー９１１の押下により、速度優先モードから画質優先モードへの切り替えが許可されている場合、速度優先モードが設定されている場合において、二面分の読み取りページメモリを確保することができなければ、速度優先モードから画質優先モードへの切り替えが自動的に行われる。これに対し、速度優先モードから画質優先モードへの切り替えが許可されていない場合、速度優先モードが設定されている場合において、二面分の読み取りページメモリを確保することができないときでも、速度優先モードから画質優先モードへの切り替えは行われないことになる。すなわち、速度優先モードが設定されている場合において、二面分の読み取りページメモリを確保することができないときは、処理は停止される。
【００８９】
上記各実施形態では、原稿給紙ユニット２５０を備える画像入出力システム１００を説明したが、本発明の原理は、これに限定されていることはなく、両面同時読み取り可能なスキャナを備える全ての装置について適用することが可能であり、例えばＦＡＸスキャン、Ｉ−ＦＡＸスキャン、ネットワークスキャンなどにも適用可能であることはいうまでもない。
【００９０】
また、両面読み取りを行う読み取り手段は、モノクロセンサであってもよいし、カラーセンサであってもよい。
【００９１】
なお、本発明の目的は、前述した各実施形態の機能を実現するソフトウエアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００９２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはいうまでもない。
【００９３】
以下、本発明の実施態様を列挙する。
【００９４】
［実施態様１］  原稿を給紙する原稿給紙手段と、前記原稿給紙手段により給紙された原稿の第１面を読み取るための第１の読み取り手段と、前記原稿給紙手段により給紙された原稿の第２面を読み取るための第２の読み取り手段と、前記第１の読み取り手段で第１面が読み取られた後の原稿を前記第１読み取り手段による前記原稿の第２面の読み取りが可能なように反転し、再給紙する原稿反転手段とを備える画像処理装置であって、両面同時読み取りモードと両面読み取りモードとのいずれかのモードを設定するモード設定手段と、前記設定されたモードを実行するモード実行手段とを有し、前記モード実行手段は、前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行い、前記両面読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取ることを特徴とする画像処理装置。
【００９５】
［実施態様２］  前記第１の読み取り手段は、前記第２の読み取り手段とは異なるタイプのものであることを特徴とする実施態様１記載の画像処理装置。
【００９６】
［実施態様３］  前記第１の読み取り手段は、ＣＣＤイメージセンサであることを特徴とする実施態様２記載の画像処理装置。
【００９７】
［実施態様４］  前記第２の読み取り手段は、コンタクトイメージセンサであることを特徴とする実施態様２または３記載の画像処理装置。
【００９８】
［実施態様５］  前記両面同時読み取りモードは、速度優先読み取りモードであることを特徴とする実施態様１記載の画像処理装置。
【００９９】
［実施態様６］  前記両面読み取りモードは、画質優先読み取りモードであることを特徴とする実施態様１または５記載の画像処理装置。
【０１００】
［実施態様７］  原稿を給紙する原稿給紙手段と、前記原稿給紙手段により給紙された原稿の第１面を少なくとも読み取る第１の読み取り手段と、前記原稿給紙手段により給紙された原稿の第２面を読み取る第２の読み取り手段と、前記第１の読み取り手段で第１面が読み取られた後の原稿を前記第１読み取り手段により該原稿の第２面が読み取り可能なように反転し、再給紙する原稿反転手段と、画像格納領域を確保するための格納手段とを備える画像処理装置であって、両面読み取りモードと両面同時読み取りモードとのいずれかのモードを設定するモード設定手段と、前記設定されたモードの実行に必要な画像格納領域を前記格納手段に確保し、該設定されたモードを実行するモード実行手段とを有し、前記モード実行手段は、前記両面読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取り、前記両面同時読み取りモードが設定されている場合、前記両面同時読み取りモードの実行に必要な画像格納領域が前記格納手段に確保することができた場合、前記第１の読み取り手段による前記原稿給紙手段で給紙された原稿の第１面の読み取りと前記第２の読み取り手段による前記原稿の第２面の読み取りとをほぼ同時に行い、前記両面同時読み取りモードの実行に必要な画像格納領域が前記格納手段に確保することができなかった場合、前記両面同時読み取りモードを前記両面読み取りモードに切り替えることを特徴とする画像処理装置。
【０１０１】
［実施態様８］  前記第１の読み取り手段は、前記第２の読み取り手段とは異なるタイプのものであることを特徴とする実施態様７記載の画像処理装置。
【０１０２】
［実施態様９］  前記第１の読み取り手段は、ＣＣＤイメージセンサであることを特徴とする実施態様８記載の画像処理装置。
【０１０３】
［実施態様１０］  前記第２の読み取り手段は、コンタクトイメージセンサであることを特徴とする実施態様８または９記載の画像処理装置。
【０１０４】
［実施態様１１］  前記両面同時読み取りモードは、速度優先読み取りモードであることを特徴とする実施態様７記載の画像処理装置。
【０１０５】
［実施態様１２］  前記第両面読み取りモードは、画質優先読み取りモードであることを特徴とする実施態様７または１１記載の画像処理装置。
【０１０６】
［実施態様１３］  前記格納手段は、ＲＡＭであることを特徴とする実施態様１記載の画像処理装置。
【０１０７】
［実施態様１４］  前記モード実行手段は、前記両面同時読み取りモードの実行に必要な画像格納領域として、１回の原稿読み取り動作で必要な２面分の画像格納領域を前記格納手段に確保することを特徴とする実施態様７記載の画像処理装置。
【０１０８】
［実施態様１５］  前記モード実行手段による前記両面同時読み取りモードの実行に必要な画像格納領域を確保することができない場合の前記両面同時読み取りモードから前記両面読み取りモードへ切り替えを許可するか否かを予め設定する切り替え許可設定手段を有することを特徴とする実施態様７記載の画像処理装置。
【０１０９】
［実施態様１６］  前記モード実行手段は、１枚の原稿に対する読み取り動作毎に前記両面同時読み取りモードの実行に必要な画像格納領域が確保することができたか否かを判定し、該判定結果に応じて前記両面同時読み取りモードを前記両面読み取りモードに切り替えることを特徴とする実施態様７記載の画像処理装置。
【０１１０】
［実施態様１７］  原稿を給紙する原稿給紙手段と、前記原稿給紙手段により給紙された原稿の第１面を読み取るための第１の読み取り手段と、前記原稿給紙手段により給紙された原稿の第２面を読み取るための第２の読み取り手段と、前記第１の読み取り手段で第１面が読み取られた後の原稿を前記第１読み取り手段により該原稿の第２面が読み取り可能なように反転し、再給紙する原稿反転手段とを備える画像処理装置の画像読み取り方法であって、両面同時読み取りモードと両面読み取りモードとのいずれかのモードを設定するモード設定工程と、前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行う両面同時読み取り工程と、前記両面読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取る両面読み取り工程とを有することを特徴とする画像読み取り方法。
【０１１１】
［実施態様１８］  前記両面同時読み取りモードは、速度優先読み取りモードであることを特徴とする実施態様１７記載の画像読み取り方法。
【０１１２】
［実施態様１９］  前記両面読み取りモードは、画質優先読み取りモードであることを特徴とする実施態様１７または１８記載の画像読み取り方法。
【０１１３】
［実施態様２０］  原稿を給紙する原稿給紙手段と、前記原稿給紙手段により給紙された原稿の第１面を少なくとも読み取る第１の読み取り手段と、前記原稿給紙手段により給紙された原稿の第２面を読み取る第２の読み取り手段と、前記第１の読み取り手段で第１面が読み取られた後の原稿を前記第１読み取り手段により該原稿の第２面が読み取り可能なように反転し、再給紙する原稿反転手段と、画像格納領域を確保するための格納手段とを備える画像処理装置の画像読み取り方法であって、両面読み取りモードと両面同時読み取りモードとのいずれかのモードを設定するモード設定工程と、前記両面読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取る両面読み取り工程と、前記両面同時読み取りモードが設定されている場合、前記両面同時読み取りモードの実行に必要な画像格納領域が前記格納手段に確保することができたか否かを判定する判定工程と、前記両面同時読み取りモードの実行に必要な画像格納領域が前記格納手段に確保することができた場合、前記第１の読み取り手段による前記原稿給紙手段で給紙された原稿の第１面の読み取りと前記第２の読み取り手段による前記原稿の第２面の読み取りとをほぼ同時に行う両面同時読み取り工程と、前記両面同時読み取りモードの実行に必要な画像格納領域が前記格納手段に確保することができない場合、前記両面同時読み取りモードを前記両面読み取りモードに切り替える切り替え工程とを有することを特徴とする画像読み取り方法。
【０１１４】
［実施態様２１］  前記両面同時読み取りモードは、速度優先読み取りモードであることを特徴とする実施態様２０記載の画像読み取り方法。
【０１１５】
［実施態様２２］  前記第両面読み取りモードは、画質優先読み取りモードであることを特徴とする実施態様２０または２１記載の画像読み取り方法。
【０１１６】
［実施態様２３］  前記両面同時読み取りモードの実行に必要な画像格納領域として、１回の原稿読み取り動作で必要な２面分の画像格納領域を前記格納手段に確保することを特徴とする実施態様２０記載の画像読み取り方法。
【０１１７】
［実施態様２４］  前記両面同時読み取りモードの実行に必要な画像格納領域を確保することができなかった場合の前記両面同時読み取りモードから前記両面読み取りモードへ切り替えを許可するか否かを予め設定する切り替え許可設定工程を有することを特徴とする実施態様２０記載の画像読み取り方法。
【０１１８】
［実施態様２５］  前記判定工程では、１枚の原稿に対する読み取り動作毎に前記両面同時読み取りモードの実行に必要な画像格納領域が確保することができたか否かを判定し、前記切り替え工程では、前記判定結果に応じて前記両面同時読み取りモードを前記両面読み取りモードに切り替えることを特徴とする実施態様２０記載の画像読み取り方法。
【０１１９】
［実施態様２６］  原稿を給紙する原稿給紙手段と、前記原稿給紙手段により給紙された原稿の第１面を読み取るための第１の読み取り手段と、前記原稿給紙手段により給紙された原稿の第２面を読み取るための第２の読み取り手段と、前記第１の読み取り手段で第１面が読み取られた後の原稿を前記第１読み取り手段により該原稿の第２面が読み取り可能なように反転し、再給紙する原稿反転手段とを備える画像処理装置における画像読み取りを制御するためのプログラムであって、両面同時読み取りモードと両面読み取りモードとのいずれかのモードを設定するモード設定モジュールと、前記両面同時読み取りモードが設定されている場合、前記第１の読み取り手段による前記原稿給紙手段で給紙された原稿の第１面の読み取りと前記第２の読み取り手段による前記原稿の第２面の読み取りとをほぼ同時に行う両面同時読み取りモジュールと、前記両面読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取る両面読み取りモジュールとを有することを特徴とするプログラム。
【０１２０】
［実施態様２７］  原稿を給紙する原稿給紙手段と、前記原稿給紙手段により給紙された原稿の第１面を少なくとも読み取る第１の読み取り手段と、前記原稿給紙手段により給紙された原稿の第２面を読み取る第２の読み取り手段と、前記第１の読み取り手段で第１面が読み取られた後の原稿を前記第１読み取り手段により該原稿の第２面が読み取り可能なように反転し、再給紙する原稿反転手段と、画像格納領域を確保するための格納手段とを備える画像処理装置における画像読み取りを制御するためのプログラムであって、両面読み取りモードと両面同時読み取りモードとのいずれかのモードを設定するモード設定モジュールと、前記両面読み取りモードが設定されている場合、前記第１の読み取り手段による前記原稿給紙手段で給紙された原稿の第１面の読み取り後に、前記原稿反転手段により第１面が読み取られた原稿を反転、再給紙し、前記第１の読み取り手段により前記再給紙された原稿の第２面を読み取る両面読み取りモジュールと、前記両面同時読み取りモードが設定されている場合、前記両面同時読み取りモードの実行に必要な画像格納領域が前記格納手段に確保することができたか否かを判定する判定モジュールと、前記両面同時読み取りモードの実行に必要な画像格納領域が前記格納手段に確保することができた場合、前記第１の読み取り手段による前記原稿給紙手段で給紙された原稿の第１面の読み取りと前記第２の読み取り手段による前記原稿の第２面の読み取りとをほぼ同時に行う両面同時読み取りモジュールと、前記両面同時読み取りモードの実行に必要な画像格納領域が前記格納手段に確保することができない場合、前記両面同時読み取りモードを前記両面読み取りモードに切り替える切り替えモジュールとを有することを特徴とするプログラム。
【０１２１】
【発明の効果】
以上説明したように、本発明によれば、ユーザのニーズに応じた両面読み取りを行うことができる。
【図面の簡単な説明】
【図１】本発明の第１実施形態に係る画像入出力システムの全体構成を示すブロック図である。
【図２】図１のリーダ部２００およびプリンタ部３００の内部構成を模式的に示す縦断面図である。
【図３】図１の操作部１５０の構成を示す平面図である。
【図４】図１の制御装置１１０の構成を示すブロック図である。
【図５】図４のＲＡＭ１２１に設けられたページメモリ蓄積領域のメモリマップの一例を示す図である。
【図６】図１のリーダ部２００を制御するリーダ制御装置４００の構成を示すブロック図である。
【図７】ＣＣＤ１２８、ＣＩＳ２２０から出力された画像信号がそれぞれ画像処理部４０１、画像処理部４０２から出力されるまでのタイミングチャートである。
【図８】ＭＵＸ４０５から出力される画像信号の順序を示す図である。
【図９】ＬＣＤタッチパネル６００に表示されるコピーの標準画面の一例を示す図である。
【図１０】両面設定画面の一例を示す図である。
【図１１】図１０の両面設定画面において両片設定または両両設定などの両面印字を指定するモードが設定された場合のコピー標準画面を示す図である。
【図１２】キャンモード設定画面を示す図である。
【図１３】コピータスクの処理手順を示すフローチャートである。
【図１４】図１３の読み取りタスクの処理手順を示すフローチャートである。
【図１５】図１３の読み取りタスクの処理手順を示すフローチャートである。
【図１６】本発明の第２実施形態に係る画像入出力システムの読み取りタスクの処理手順を示すフローチャートである。
【図１７】本発明の第２実施形態に係る画像入出力システムの読み取りタスクの処理手順を示すフローチャートである。
【図１８】本発明の第２実施形態に係る画像入出力システムの読み取りタスクの処理手順を示すフローチャートである。
【図１９】本発明の第２実施形態に係る画像入出力システムのスキャンモード設定画面を示す図である。
【符号の説明】
１１０  制御装置
１２０  ＣＰＵ
１２１  ＲＡＭ
１２３  ＲＯＭ
１５０  操作部
２００  リーダ部
２１０  スキャナユニット
２１８  ＣＣＤ
２２０  ＣＩＳ
２５０  原稿給紙ユニット
３００  プリンタ部
４００  リーダ制御装置
４０５  ＭＵＸ
４０７  リーダＣＰＵ
【図１】
2005012442.tif 000003
【図２】
2005012442.tif 000004
【図３】
2005012442.tif 000005
【図４】
2005012442.tif 000006
【図５】
2005012442.tif 000007
【図６】
2005012442.tif 000008
【図７】
2005012442.tif 000009
【図８】
2005012442.tif 000010
【図９】
2005012442.tif 000011
【図１０】
2005012442.tif 000012
【図１１】
2005012442.tif 000013
【図１２】
2005012442.tif 000014
【図１３】
2005012442.tif 000015
【図１４】
2005012442.tif 000016
【図１５】
2005012442.tif 000017
【図１６】
2005012442.tif 000018
【図１７】
2005012442.tif 000019
【図１８】
2005012442.tif 000020
【図１９】
2005012442.tif 000021